(57)【要約】【課題】  本発明は１個の部品で梁と梁、梁と梁桁、タルキと桁等の接続部を十分な強度で、ズレなく、容易な作業で取付けることができる一部品で形成された、安価に製造することができるコーナー固定金具の製造方法およびコーナー固定金具を得るにある。【解決手段】  ほぼ中央部で所定角度に曲げ加工することができる板状の固定金具本体形成工程と、この固定金具本体形成工程で形成された固定金具本体の中央部を除く両端部に打ち抜き形成で複数個のピン状の釘を形成する複数個のピン状の釘形成工程と、この複数個のピン状の釘形成工程後にほぼ中央部を４５度あるいは９０度曲げ加工する曲げ加工工程とでコーナー固定金具の製造方法を構成している。【選択図】  図１
2009275800.tif 000002
【特許請求の範囲】
【請求項１】
ほぼ中央部で所定角度に曲げ加工することができる板状の固定金具本体形成工程と、この固定金具本体形成工程で形成された固定金具本体の中央部を除く両端部に打ち抜き形成で複数個のピン状の釘を形成する複数個のピン状の釘形成工程と、この複数個のピン状の釘形成工程後にほぼ中央部を４５度あるいは９０度曲げ加工する曲げ加工工程とからなるコーナー固定金具の製造方法。
【請求項２】
ほぼ中央部で所定角度に曲げられた板状の固定金具本体と、この固定金具本体のほぼ中央部を除く両端部に打ち抜き形成された複数個のピン状の釘とからなることを特徴とするコーナー固定金具。
【発明の詳細な説明】
【技術分野】
【０００１】
本発明は梁と梁、梁と梁桁、タルキと桁等の接続部を固定する木材のコーナー固定金具の製造方法およびコーナー固定金具に関する。
【背景技術】
【０００２】
従来、本発明者によって、Ｌ字状に形成された一方の固定金具本体、この一方の固定金具本体の長辺板に打ち抜き形成された複数個のピン状の釘、前記一方の固定金具本体の短辺板に形成された複数個のピン状の釘挿入孔とからなる一方の固定金具と、この一方の固定金具の短辺板と重なり合う折り曲げ部を介して形成されたクランク状の他方の固定金具本体、この他方の固定金具本体のベース部に打ち抜き形成された複数個のピン状の釘、前記他方の固定金具本体の重なり合う部に前記一方の固定金具の短辺板のピン状の釘挿入孔と対応する部位に形成された釘等の挿入孔とからなる他方の固定金具とからなることを特徴とする木材のコーナー固定金具が考えられ、商品化されている。
【０００３】
このようなコーナー固定金具は接続部のズレを防止し、取付け作業が容易で、十分な強度で接続することができるが、２部品となるため、コスト高になるという欠点があった。
【特許文献１】特許第３９２７９３１号
【発明の開示】
【発明が解決しようとする課題】
【０００４】
本発明は以上のような従来の欠点に鑑み、１個の部品で梁と梁、梁と梁桁、タルキと桁等の接続部を十分な強度で、ズレなく、容易な作業で取付けることができる一部品で形成された、安価に製造することができるコーナー固定金具の製造方法およびコーナー固定金具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はほぼ中央部で所定角度に曲げ加工することができる板状の固定金具本体形成工程と、この固定金具本体形成工程で形成された固定金具本体の中央部を除く両端部に打ち抜き形成で複数個のピン状の釘を形成する複数個のピン状の釘形成工程と、この複数個のピン状の釘形成工程後にほぼ中央部を４５度あるいは９０度曲げ加工する曲げ加工工程とでコーナー固定金具の製造方法を構成している。
【０００７】
本発明はほぼ中央部で所定角度に曲げられた板状の固定金具本体と、この固定金具本体のほぼ中央部を除く両端部に打ち抜き形成された複数個のピン状の釘とでコーナー固定金具を構成している。
【発明の効果】
【０００８】
以上の説明から明らかなように、本発明にあっては次に列挙する効果が得られる。
【０００９】
（１）ほぼ中央部で所定角度に曲げ加工することができる板状の固定金具本体形成工程と、この固定金具本体形成工程で形成された固定金具本体の中央部を除く両端部に打ち抜き形成で複数個のピン状の釘を形成する複数個のピン状の釘形成工程と、この複数個のピン状の釘形成工程後にほぼ中央部を４５度あるいは９０度曲げ加工する曲げ加工工程とからなるので、一部品で形成することができる。
したがって、安価に製造することができる。
【００１０】
（２）前記（１）により、ほぼ中央部で所定角度に曲げ加工できるように板状の固定金具本体を形成するとともに、両端部に打ち抜き形成で複数個のピン状の釘を形成し、中央部を４５度あるいは９０度にひねるように曲げ加工するだけなので、特別な加工装置が不要で、一般に使用されている装置を用いて加工することができ、容易に製造することができる。
【００１１】
（３）請求項２も前記（１）、（２）と同様な効果が得られる。
【発明を実施するための最良の形態】
【００１２】
以下、図面に示す本発明を実施するための最良の形態により、本発明を詳細に説明する。
【００１３】
図１ないし図８に示す本発明を実施するための最良の第１の形態において、１は本発明のコーナー固定金具の製造方法で、このコーナー固定金具の製造方法1はほぼ中央部で所定角度、本発明の実施の形態では９０度に曲げ加工することができる、例えば両側部が同一線上に位置するように板状の固定金具本体２をプレス抜き等で形成する固定金具本体形成工程３と、この固定金具本体形成工程３と同時あるいは後に固定金具本体２の中央部を除く両端部に打ち抜き形成で形成された複数個のピン状の釘4を形成する複数個のピン状の釘形成工程５と、この複数個のピン状の釘形成工程５後に、複数個のピン状の釘４が外側に位置するようにほぼ中央部を９０度、すなわち前記固定金具本体２の両側部２ａ、２ｂが同一線でつながるように曲げ加工する曲げ加工工程６とで構成されている。
なお、複数個のピン状の釘４の形状は釘として使用することができ、かつ打ち抜きで形成できる形状であればどんな形状であっても良い。
【００１４】
このようにして製造されたコーナー固定金具7は中央部で９０度曲げられ、両端部の平面部には複数個のピン状の釘4が形成されているため、９０度位置のずれている梁と梁、梁と梁桁等、図８に示す位置の接続部を固定する場合に使用することができる。
[発明を実施するための異なる形態]
【００１５】
次に、図９ないし図３９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図９ないし図１２に示す本発明を実施するための第２の形態において、前記本発明を実施するための最良の第１の形態と主に異なる点は、複数個のピン状の釘４が内側に位置するように曲げ加工工程６Ａを行ない、コーナー固定金具７Ａを製造した点で、このようなコーナー固定金具の製造方法１Ａでコーナー固定金具７Ａを製造しても、前記本発明を実施するための最良の第１の形態と同様な作用効果が得られる。
【００１７】
図１３ないし図１８に示す本発明を実施するための第３の形態において、前記本発明を実施するための最良の第１の形態と主に異なる点は、中央部で４５度に曲げ加工できる、例えば両側部２ａ、２ｂの両側へ順次突出する部位の基点０、０間を曲げられる固定金具本体２Ａを形成する固定金具本体形成工程３Ａを行なうとともに、中央部を４５度に曲げ加工する曲げ加工工程６Ｂを行なった点で、このようなコーナー固定金具の製造方法１Ｂでコーナー固定金具７Ｂを製造しても、図１８に示すように４５度曲がった接続部の固定に使用することができる。
【００１８】
図１９ないし図２３に示す本発明を実施するための第４の形態において、前記本発明を実施するための第３の形態と主に異なる点は、複数個のピン状の釘４が内側に位置するように曲げ加工工程６Ｃを行なった点で、このようなコーナー固定金具の製造方法１Ｃで製造されたコーナー固定金具７Ｃにしても、前記本発明を実施するための第３の形態と同様な作用効果が得られる。
【００１９】
図２４ないし図２８に示す本発明を実施するための第５の形態において、前記本発明を実施するための最良の第１の形態と主に異なる点は、先端部がカギ状の複数個のピン状の釘４Ａを形成する複数個のピン状の釘形成工程５Ａを用いた点で、このような複数個のピン状の釘形成工程５Ａを用いたコーナー固定金具の製造方法１Ｄでコーナー固定金具７Ｄ
を製造しても、より強固に接続部を固定することができる。
【００２０】
図２７ないし図３２に示す本発明を実施するための第６の形態において、前記本発明を実施するための第５の形態と主に異なる点は、両端部の複数個のピン状の釘４のうち、数個だけ先端部がカギ状のピン状の釘４Ａに加工する複数個のピン状の釘形成工程５Ｂを用いた点で、このような複数個のピン状の釘形成工程５Ｂを用いたコーナー固定金具の製造方法１Ｅでコーナー固定金具７Ｅを製造しても、前記本発明の第５の実施の形態よりも接続部を強固に固定することができないが、前記本発明の最良の第１の形態よりも強固に固定できるとともに、容易に取付けることができる。
【００２１】
図３３ないし図３６に示す本発明を実施するための第７の形態において、前記本発明を実施するための最良の第１の形態と主に異なる点は、上下面を傾斜面に形成した固定金具本体２Ｂを用いたコーナー固定金具７Ｆにした点で、このように形成されたコーナー固定金具７Ｆは図３６に示すように接続される垂木等より上部へ突出する不具合を確実に防止することができる。
【００２２】
図３７ないし図３９に示す本発明を実施するための第８の形態において、前記本発明を実施するための第７の形態と主に異なる点は、上面を傾斜面に形成した固定金具本体２Ｃを用いたコーナー固定金具７Ｇにした点で、このように形成されたコーナー固定金具７Ｇにしても本発明を実施するための第７の形態と同様な作用効果が得られる。
【産業上の利用可能性】
【００２３】
本発明は梁と梁、梁と梁桁、タルキと桁等の接続部を固定する木材のコーナー固定金具の製造産業で利用される。
【図面の簡単な説明】
【００２４】
【図１】本発明を実施するための最良の第１の形態の工程図。
【図２】本発明を実施するための最良の第１の形態の固定金具本体の正面図。
【図３】本発明を実施するための最良の第１の形態の複数個のピン状の釘形成工程の説明図。
【図４】本発明を実施するための最良の第１の形態の曲げ加工工程の説明図。
【図５】本発明を実施するための最良の第１の形態のコーナー固定金具の正面図。
【図６】本発明を実施するための最良の第１の形態のコーナー固定金具の側面図。
【図７】本発明を実施するための最良の第１の形態のコーナー固定金具の平面図。
【図８】本発明を実施するための最良の第１の形態の使用状態の説明図。
【図９】本発明を実施するための第２の形態の工程図。
【図１０】本発明を実施するための第２の形態の曲げ加工工程の説明図。
【図１１】本発明を実施するための第２の形態のコーナー固定金具の正面図。
【図１２】本発明を実施するための第２の形態のコーナー固定金具の平面図。
【図１３】本発明を実施するための第３の形態の工程図。
【図１４】本発明を実施するための第３の形態の固定金具本体の正面図。
【図１５】本発明を実施するための第３の形態の曲げ加工工程の説明図。
【図１６】本発明を実施するための第３の形態のコーナー固定金具の正面図。
【図１７】本発明を実施するための第３の形態のコーナー固定金具の平面図。
【図１８】本発明を実施するための第３の形態の使用状態の説明図。
【図１９】本発明を実施するための第４の形態の工程図。
【図２０】本発明を実施するための第４の形態の曲げ加工工程の説明図。
【図２１】本発明を実施するための第４の形態のコーナー固定金具の正面図。
【図２２】本発明を実施するための第４の形態のコーナー固定金具の側面図。
【図２３】本発明を実施するための第４の形態のコーナー固定金具の平面図。
【図２４】本発明を実施するための第５の形態の工程図。
【図２５】本発明を実施するための第５の形態の複数個のピン状の釘形成工程の説明図。
【図２６】本発明を実施するための第５の形態のコーナー固定金具の正面図。
【図２７】本発明を実施するための第５の形態のコーナー固定金具の側面図。
【図２８】本発明を実施するための第５の形態のコーナー固定金具の平面図。
【図２９】本発明を実施するための第６の形態の工程図。
【図３０】本発明を実施するための第６の形態の複数個のピン状の釘形成工程の説明図。
【図３１】本発明を実施するための第６の形態のコーナー固定金具の正面図。
【図３２】本発明を実施するための第６の形態のコーナー固定金具の側面図。
【図３３】本発明を実施するための第７の形態のコーナー固定金具の正面図。
【図３４】本発明を実施するための第７の形態のコーナー固定金具の側面図。
【図３５】本発明を実施するための第７の形態のコーナー固定金具の平面図。
【図３６】本発明を実施するための第７の形態の使用状態の説明図。
【図３７】本発明を実施するための第８の形態のコーナー固定金具の正面図。
【図３８】本発明を実施するための第８の形態のコーナー固定金具の側面図。
【図３９】本発明を実施するための第８の形態のコーナー固定金具の平面図。
【符号の説明】
【００２５】
１、１Ａ、１Ｂ、１Ｃ、１Ｄ、１Ｅ：コーナー固定金具の製造方法、
２、２Ａ：固定金具本体、
３、３Ａ：固定金具本体形成工程、
４、４Ａ：ピン状の釘、
５、５Ａ、５Ｂ：ピン状の釘形成工程、            
６、６Ａ、６Ｂ、６Ｃ：曲げ加工工程、
７、７Ａ、７Ｂ、７Ｃ、７Ｄ、７Ｅ：コーナー固定金具。
【図１】
2009275800.tif 000003
【図２】
2009275800.tif 000004
【図３】
2009275800.tif 000005
【図４】
2009275800.tif 000006
【図５】
2009275800.tif 000007
【図６】
2009275800.tif 000008
【図７】
2009275800.tif 000009
【図８】
2009275800.tif 000010
【図９】
2009275800.tif 000011
【図１０】
2009275800.tif 000012
【図１１】
2009275800.tif 000013
【図１２】
2009275800.tif 000014
【図１３】
2009275800.tif 000015
【図１４】
2009275800.tif 000016
【図１５】
2009275800.tif 000017
【図１６】
2009275800.tif 000018
【図１７】
2009275800.tif 000019
【図１８】
2009275800.tif 000020
【図１９】
2009275800.tif 000021
【図２０】
2009275800.tif 000022
【図２１】
2009275800.tif 000023
【図２２】
2009275800.tif 000024
【図２３】
2009275800.tif 000025
【図２４】
2009275800.tif 000026
【図２５】
2009275800.tif 000027
【図２６】
2009275800.tif 000028
【図２７】
2009275800.tif 000029
【図２８】
2009275800.tif 000030
【図２９】
2009275800.tif 000031
【図３０】
2009275800.tif 000032
【図３１】
2009275800.tif 000033
【図３２】
2009275800.tif 000034
【図３３】
2009275800.tif 000035
【図３４】
2009275800.tif 000036
【図３５】
2009275800.tif 000037
【図３６】
2009275800.tif 000038
【図３７】
2009275800.tif 000039
【図３８】
2009275800.tif 000040
【図３９】
2009275800.tif 000041